(57)【要約】      （修正有）【課題】流動特性、曲げ弾性率、曲げ強度、耐熱性（荷重たわみ温度）、耐衝撃性（シャルピー衝撃強度）、及び含水率の観点で優れた射出成形用樹脂組成物を提供する。【解決手段】下記一般式（Ｉ）で表されるアミド系化合物と、難燃剤と、セルロースエステル系樹脂とを含有する射出成形用樹脂組成物。2011162696.tif 000017（一般式（Ｉ）中、Ｒ１、Ｒ２、Ｒ３、及びＲ４は、それぞれ独立に、水素原子、脂肪族炭化水素基、又は芳香族炭化水素基を表す。Ｒ１、Ｒ２、Ｒ３、及びＲ４はさらに置換基を有しても良く、また、−Ｏ−、−Ｓ−、−ＮＲ6−、−ＣＯ−、−ＳＯ2−、及びこれらを組み合わせて得られる２価の基（Ｒ6は水素原子、または置換基を有していてもよい炭化水素基を表す。ただし、Ｒ6が複数個存在する場合には、それらは同一であってもよい）からなる群から選ばれる２価の基を１つ以上含んでいてもよい。）【選択図】なし【特許請求の範囲】
【請求項１】
下記一般式（Ｉ）で表されるアミド系化合物と、難燃剤と、セルロースエステル系樹脂とを含有する射出成形用樹脂組成物。
【化１】
2011162696.tif 000016
（一般式（Ｉ）中、Ｒ１、Ｒ２、Ｒ３、及びＲ４は、それぞれ独立に、水素原子、脂肪族炭化水素基、又は芳香族炭化水素基を表す。Ｒ１、Ｒ２、Ｒ３、及びＲ４はさらに置換基を有しても良く、また、−Ｏ−、−Ｓ−、−ＮＲ６−、−ＣＯ−、−ＳＯ2−、及びこれらを組み合わせて得られる２価の基（Ｒ６は水素原子、または置換基を有していてもよい炭化水素基を表す。ただし、Ｒ６が複数個存在する場合には、それらは同一であってもよい）からなる群から選ばれる２価の基を１つ以上含んでいてもよい。）
【請求項２】
前記一般式（Ｉ）で表されるアミド系化合物の含有量が、射出成形用樹脂組成物の全固形分に対して４０質量％以下である請求項１に記載の射出成形用樹脂組成物。
【請求項３】
前記難燃剤が、ハロゲン、リン、及びケイ素からなる群から選ばれる少なくとも１種を含有する、請求項１又は２に記載の射出成形用樹脂組成物。
【請求項４】
前記難燃剤がリンを含有する難燃剤である請求項１〜３のいずれかに記載の射出成形用樹脂組成物。
【請求項５】
前記セルロースエステル系樹脂が、セルロースアセテート、セルロースプロピオネート、セルロースブチレート、セルロースアセテートプロピオネート、セルロースアセテートブチレート、及びセルロースプロピオネートブチレートからなる群から選ばれる少なくとも１種である、請求項１〜４のいずれかに記載の射出成形用樹脂組成物。
【請求項６】
前記セルロースエステル系樹脂がセルロースアセテートである請求項１〜５のいずれかに記載の射出成形用樹脂組成物。
【請求項７】
前記セルロースエステル系樹脂のアシル置換度が２．７以下である請求項１〜６のいずれかに記載の射出成形用樹脂組成物。
【請求項８】
請求項１〜７のいずれかに記載の射出成形用樹脂組成物を加熱成形して得られる成形体。
【請求項９】
請求項１〜７のいずれかに記載の射出成形用樹脂組成物を加熱し、成形する工程を含む、成形体の製造方法。
【請求項１０】
請求項８に記載の成形体から構成される電気電子機器用筐体。
【発明の詳細な説明】
【技術分野】
【０００１】
本発明は、射出成形用樹脂組成物、成形体、及びその製造方法、並びに電気電子機器用筐体に関する。
【背景技術】
【０００２】
コピー機、プリンター等の電気電子機器を構成する部材には、その部材に求められる特性、機能等を考慮して、各種の素材が使用されている。例えば、電気電子機器の駆動機等を収納し、当該駆動機を保護する役割を果たす部材（筐体）にはＰＣ（Ｐｏｌｙｃａｒｂｏｎａｔｅ）、ＡＢＳ（Ａｃｒｙｌｏｎｉｔｒｉｌｅ−ｂｕｔａｄｉｅｎｅ−ｓｔｙｒｅｎｅ）樹脂、ＰＣ／ＡＢＳ等が一般的に多量に使用されている（特許文献１）。これらの樹脂は、石油を原料として得られる化合物を反応させて製造されている。
ところで、石油、石炭、天然ガス等の化石資源は、長年月の間、地中に固定されてきた炭素を主成分とするものである。このような化石資源、又は化石資源を原料とする製品を燃焼させて、二酸化炭素が大気中に放出された場合には、本来、大気中に存在せずに地中深くに固定されていた炭素を二酸化炭素として急激に放出することになり、大気中の二酸化炭素が大きく増加し、これが地球温暖化の原因となっている。したがって、化石資源である石油を原料とするＡＢＳ、ＰＣ等のポリマーは、電気電子機器用部材の素材としては、優れた特性を有するものであるものの、化石資源である石油を原料とするものであるため、地球温暖化の防止の観点からは、その使用量の低減が望ましい。
一方、植物由来の樹脂は、元々、植物が大気中の二酸化炭素と水とを原料として光合成反応によって生成したものである。そのため、植物由来の樹脂を焼却して二酸化炭素が発生しても、その二酸化炭素は元々、大気中にあった二酸化炭素に相当するものであるから、大気中の二酸化炭素の収支はプラスマイナスゼロとなり、結局、大気中のＣＯ２の総量を増加させない、という考え方がある。このような考えから、植物由来の樹脂は、いわゆる「カーボンニュートラル」な材料と称されている。石油由来の樹脂に代わって、カーボンニュートラルな材料を用いることは、近年の地球温暖化を防止する上で急務となっている。
このため、ＰＣポリマーにおいて、石油由来の原料の一部としてデンプン等の植物由来資源を使用することにより石油由来資源を低減する方法が提案されている（特許文献２）。
しかし、より完全なカーボンニュートラルな材料を目指す観点から、さらなる改良が求められている。
【０００３】
セルロースは植物から得られる地球上で再生産可能なバイオマス材料として、また環境中にて生分解可能な材料として、昨今の大きな注目を集めつつある。セルロースは紙に用いられるばかりではなく、その誘導体であるセルロースエステルは、例えばセルロースアセテート、セルロースアセテートプロピオネート、セルロースアセテートブチレート、セルロースアセテートフタレート等が、フィルム材料等として用いられている。
例えば特許文献３には、セルロースエステル系樹脂とアミド系化合物を含有する組成物を用いて塗布法によりフィルムを形成することが記載されている。しかしながら、セルロースエステル系樹脂とアミド系化合物を含有する組成物を射出成形に用いることは記載されていない。
【先行技術文献】
【特許文献】
【０００４】
【特許文献１】特開昭５６−５５４２５号公報
【特許文献２】特開２００８−２４９１９号公報
【特許文献３】特開２００５−２４７９６０号公報
【発明の概要】
【発明が解決しようとする課題】
【０００５】
本発明者らは、カーボンニュートラルな樹脂として、セルロースを使用することに着目した。しかし、セルロースは一般的に熱可塑性を持たないため、加熱等により成形することが困難であるため、成形加工に適さない。また、たとえ熱可塑性を付与できたとしても、耐衝撃性等の強度が大きく衰える問題がある。
また、セルロースエステル系樹脂は吸水性が高い樹脂であるが、射出成形用樹脂組成物は成形しやすさの観点から、含水率が低いことが望ましい。したがって、含水率の観点でも改善が求められる。
【０００６】
本発明の目的は、成形加工性（流動特性）に優れ、かつ、剛性（曲げ弾性率）、曲げ強度、耐熱性（荷重たわみ温度）、耐衝撃性（シャルピー衝撃強度）、及び含水率の観点で優れた射出成形用樹脂組成物、及び成形体を提供することである。また、本発明の別の目的は、該成形体の製造方法、及び該成形体から構成される電気電子機器用筐体を提供することである。
【課題を解決するための手段】
【０００７】
本発明者らは、セルロースエステル系樹脂と、特定のアミド系化合物と、難燃剤とを含有する射出成形用樹脂組成物により、前記課題を解決し得ることを見出し、本発明を完成するに至った。
すなわち、上記課題は以下の手段により達成することができる。
【０００８】
１．
下記一般式（Ｉ）で表されるアミド系化合物と、難燃剤と、セルロースエステル系樹脂とを含有する射出成形用樹脂組成物。
【０００９】
【化１】
2011162696.tif 000002
【００１０】
（一般式（Ｉ）中、Ｒ１、Ｒ２、Ｒ３、及びＲ４は、それぞれ独立に、水素原子、脂肪族炭化水素基、又は芳香族炭化水素基を表す。Ｒ１、Ｒ２、Ｒ３、及びＲ４は更に置換基を有しても良く、また、−Ｏ−、−Ｓ−、−ＮＲ６−、−ＣＯ−、−ＳＯ２−、及びこれらを組み合わせて得られる２価の基（Ｒ６は水素原子、又は置換基を有していてもよい炭化水素基を表す。ただし、Ｒ６が複数個存在する場合には、それらは同一であってもよい）からなる群から選ばれる２価の基を１つ以上含んでいてもよい。）
２．
前記一般式（Ｉ）で表されるアミド系化合物の含有量が、射出成形用樹脂組成物の全固形分に対して４０質量％以下である上記１に記載の射出成形用樹脂組成物。
３．
前記難燃剤が、ハロゲン、リン、及びケイ素からなる群から選ばれる少なくとも１種を含有する、上記１又は２に記載の射出成形用樹脂組成物。
４．
前記難燃剤がリンを含有する難燃剤である上記１〜３のいずれかに記載の射出成形用樹脂組成物。
５．
前記セルロースエステル系樹脂が、セルロースアセテート、セルロースプロピオネート、セルロースブチレート、セルロースアセテートプロピオネート、セルロースアセテートブチレート、及びセルロースプロピオネートブチレートからなる群から選ばれる少なくとも１種である、上記１〜４のいずれかに記載の射出成形用樹脂組成物。
６．
前記セルロースエステル系樹脂がセルロースアセテートである上記１〜５のいずれかに記載の射出成形用樹脂組成物。
７．
前記セルロースエステル系樹脂のアシル置換度が２．７以下である上記１〜６のいずれかに記載の射出成形用樹脂組成物。
８．
上記１〜７のいずれかに記載の射出成形用樹脂組成物を加熱成形して得られる成形体。
９．
上記１〜７のいずれかに記載の射出成形用樹脂組成物を加熱し、成形する工程を含む、成形体の製造方法。
１０．
上記８に記載の成形体から構成される電気電子機器用筐体。
【発明の効果】
【００１１】
本発明の射出成形用樹脂組成物は、優れた熱可塑性を有するため、加熱成形などにより成形することができる。また、本発明の射出成形用樹脂組成物、及び成形体は、成形加工性、剛性、曲げ強度、耐熱性、耐衝撃性、及び含水率の観点で優れており、例えば自動車、家電、電気電子機器等の構成部品、機械部品、住宅・建築用材料等として好適に使用することができる。また、本発明の射出成形用樹脂組成物は、植物由来の樹脂であるセルロースから得られるセルロースエステル系樹脂を使用しているため、温暖化防止に貢献できる素材として、従来の石油由来の樹脂に代替できる。
【発明を実施するための形態】
【００１２】
本発明の射出成形用樹脂組成物は、下記一般式（Ｉ）で表されるアミド系化合物と、難燃剤と、セルロースエステル系樹脂とを含有する。
【００１３】
【化２】
2011162696.tif 000003
【００１４】
（一般式（Ｉ）中、Ｒ１、Ｒ２、Ｒ３、及びＲ４は、それぞれ独立に、水素原子、脂肪族炭化水素基、又は芳香族炭化水素基を表す。Ｒ１、Ｒ２、Ｒ３、及びＲ４は更に置換基を有しても良く、また、−Ｏ−、−Ｓ−、−ＮＲ６−、−ＣＯ−、−ＳＯ２−、及びこれらを組み合わせて得られる２価の基（Ｒ６は水素原子、又は置換基を有していてもよい炭化水素基を表す。ただし、Ｒ６が複数個存在する場合には、それらは同一であってもよい）からなる群から選ばれる２価の基を１つ以上含んでいてもよい。）
【００１５】
１．一般式（Ｉ）で表されるアミド系化合物
本発明の射出成形用樹脂組成物は、下記一般式（Ｉ）で表されるアミド系化合物を含有する。
【００１６】
【化３】
2011162696.tif 000004
【００１７】
（一般式（Ｉ）中、Ｒ１、Ｒ２、Ｒ３、及びＲ４は、それぞれ独立に、水素原子、脂肪族炭化水素基、又は芳香族炭化水素基を表す。Ｒ１、Ｒ２、Ｒ３、及びＲ４は更に置換基を有しても良く、また、−Ｏ−、−Ｓ−、−ＮＲ６−、−ＣＯ−、−ＳＯ２−、及びこれらを組み合わせて得られる２価の基（Ｒ６は水素原子、又は置換基を有していてもよい炭化水素基を表す。ただし、Ｒ６が複数個存在する場合には、それらは同一であってもよい）からなる群から選ばれる２価の基を１つ以上含んでいてもよい。）
【００１８】
一般式（Ｉ）で表されるアミド系化合物はアミド部位を有し、該アミド部位とセルロースエステル系樹脂とは相互作用することが可能であるため、本発明の射出成形用樹脂組成物は、含水率の低下や力学特性の向上という効果を奏すると考えられる。
上記一般式（Ｉ）のようにアミド部位を２個以上含むアミド系化合物がセルロースエステルのカルボニル部位やヒドロキシル部位とネットワーク的に相互作用することができることにより、成形加工性、剛性、曲げ強度、耐熱性、耐衝撃性、及び含水率の観点で極めて優れた射出成形用樹脂組成物を得られるものと考えられる。なお、本発明におけるセルロースエステル系樹脂ではなく、セルロースエーテル系樹脂を用いた場合では、カルボニル部位がないので、これらの効果が弱くなるものと考えられる。
【００１９】
Ｒ１、Ｒ２、Ｒ３、及びＲ４のうち少なくともいずれかが脂肪族炭化水素基を表す場合、該脂肪族炭化水素基としては、直鎖、分岐、及び環状のいずれでもよく、不飽和結合を持っていてもよい。脂肪族炭化水素基としては、例えば、アルキル基、シクロアルキル基、アルケニル基、アルキニル基等が挙げられる。脂肪族炭化水素基としては、力学特性の向上という理由から、好ましくはアルキル基であり、より好ましくは炭素数１〜３０のアルキル基であり、更に好ましくは炭素数２〜２０のアルキル基であり、特に好ましくは炭素数２〜１５のアルキル基であり、最も好ましくは炭素数２〜１２のアルキル基である。具体的には、メチル基、エチル基、プロピル基、イソプロピル基、ブチル基、イソブチル基、ペンチル基、ヘキシル基、ヘプチル基、２−エチルヘキシル基、ｔｅｒｔ−ブチル基、イソヘプチル基、オクチル基、ノニル基、デシル基、ウンデシル基、ドデシル基、トリデシル基、テトラデシル基、ステアリル基等が挙げられ、エチル基、ブチル基、２−エチルヘキシル基、ドデシル基が特に好ましい。
【００２０】
Ｒ１、Ｒ２、Ｒ３、及びＲ４のうち少なくともいずれかが芳香族炭化水素基を表す場合、該芳香族炭化水素基としては、単環、及び縮環のいずれでもよい。芳香族炭化水素基としては、好ましくは炭素数６〜１８の芳香族炭化水素基であり、より好ましくは炭素数６〜１４の芳香族炭化水素基であり、更に好ましくは炭素数６〜１０の芳香族炭化水素基である。具体的には、フェニル基、ナフチル基、フェナントリル基、アントリル基等が挙げられ、フェニル基、ナフチル基が好ましく、フェニル基がより好ましい。
【００２１】
Ｒ１、Ｒ２、Ｒ３、及びＲ４が脂肪族炭化水素基、又は芳香族炭化水素基を表す場合、該脂肪族炭化水素基、及び芳香族炭化水素基はそれぞれ置換基を有していてもよい。置換基としてはハロゲン原子（例えば、塩素、臭素、フッ素及びヨウ素）、アルキル基、ハロゲン化アルキル基、アリール基、アルコキシ基、アリールオキシ基、アシル基、アルコキシカルボニル基、アリールオキシカルボニル基、アシルオキシ基、スルホニルアミノ基、ヒドロキシ基、シアノ基、アミノ基及びアシルアミノ基などが挙げられる。置換基として好ましくはアルキル基、アリール基、アルコキシ基である。該置換基の炭素数は１〜３０が好ましく、1〜２０がより好ましい。
【００２２】
また、Ｒ１、Ｒ２、Ｒ３、及びＲ４が脂肪族炭化水素基、又は芳香族炭化水素基を表す場合、その鎖中に、−Ｏ−、−Ｓ−、−ＮＲ６−、−ＣＯ−、−ＳＯ２−、及びこれらを組み合わせて得られる２価の基（例えば、−ＣＯＯ−、−ＮＲ６ＣＯ−、−ＮＲ６ＣＯＯ−、−ＮＲ６ＣＯＮＲ６−、−ＳＯ２ＮＲ６−）（Ｒ６は水素原子、又は置換基を有していてもよい炭化水素基を表す。ただし、Ｒ６が複数個存在する場合には、それらは同一であってもよいし、異なっていてもよい。）からなる群から選ばれる２価の基を１つ以上含んでいてもよい。
Ｒ６は直鎖、分岐若しくは環状の脂肪族炭化水素基、又は芳香族炭化水素基を表すことが好ましく、直鎖、分岐の置換若しくは無置換の脂肪族炭化水素基としては、炭素数１〜３０のアルキル基が好ましい。例えば、メチル基、エチル基、ｎ−プロピル基、イソプロピル基、ｔｅｒｔ−ブチル基、ｎ−オクチル基、エイコシル基、２−クロロエチル基、２−シアノエチル基、トリフルオロメチル基、２−メトキシエチル基、２−ヒドロキシエチル基、３−ジメチルアミノプロピル基、及び２−エチルヘキシル基を挙げることができ、好ましくは、炭素数１〜１０の脂肪族炭化水素基を表す。
環状の脂肪族炭化水素基としては、炭素数３〜３０のシクロアルキル基が好ましい。例えば、シクロヘキシル基、シクロペンチル基、４−ｎ−ドデシルシクロヘキシル基を挙げることができ、より好ましくは、炭素数６〜８のシクロアルキル基である。
芳香族炭化水素基としては、炭素数６〜３０の芳香族炭化水素基が好ましく、例えば、フェニル基、ｐ−トリル基、ナフチル基、ｍ−クロロフェニル基、ｏ−ヘキサデカノイルアミノフェニル基が挙げられ、より好ましくはフェニル基、ｐ−トリル基である。
【００２３】
一般式（Ｉ）において、Ｒ１及びＲ２のうち一方が水素原子であり、他方が脂肪族炭化水素基、又は芳香族炭化水素基であることがセルロースと水素結合性が強いという理由から好ましい。
また、同様にＲ３及びＲ４のうち一方が水素原子であり、他方が脂肪族炭化水素基、又は芳香族炭化水素基であることが好ましい。
【００２４】
また、樹脂組成物の流動特性の観点では、Ｒ１及びＲ２が脂肪族炭化水素基である場合は、Ｒ３及びＲ４の炭素数は少ないことが好ましく、炭素数は６〜１２が好ましく、１〜５がより好ましい。
【００２５】
本発明における一般式（Ｉ）で表されるアミド系化合物の好ましい具体例を以下に示すが、これらに限定されるものではない。
【００２６】
【化４】
2011162696.tif 000005
【００２７】
【化５】
2011162696.tif 000006
【００２８】
本発明における一般式（Ｉ）で表されるアミド系化合物は、既知の方法により製造することができる。例えば、縮合剤（例えばジシクロヘキシルカルボジイミド（ＤＣＣ）など）を用いたカルボン酸類とアミン類との脱水縮合反応、あるいはカルボン酸クロリド誘導体とアミン誘導体との置換反応などにより得られる。
【００２９】
本発明における一般式（Ｉ）で表されるアミド系化合物の分子量は、２００〜１０００が好ましく、３００〜８００がより好ましい。
【００３０】
本発明の射出成形用樹脂組成物における一般式（Ｉ）で表されるアミド系化合物の含有量は、全固形分に対して４０質量％以下であることが好ましく、１〜４０質量％がより好ましく、５〜３５質量％が更に好ましく、１０〜３０質量％が特に好ましい。上記範囲内であれば、より優れた成形加工性、曲げ弾性率、荷重たわみ温度、シャルピー衝撃強度が得られる。
【００３１】
２．セルロースエステル系樹脂
本発明の射出成形用樹脂組成物はセルロースエステル系樹脂を含有する。
本発明におけるセルロースエステル系樹脂としては、特に限定はない。セルロースエステルは、通常、木材パルプ（針葉樹パルプ、広葉樹パルプ）、コットンリンターパルプ等のセルロースをエステル化して製造されている。
【００３２】
セルロースエステル系樹脂は、セルロースをアシル化剤と反応させる慣用のエステル化方法により生成でき、必要に応じてケン化又は熟成工程を経て製造できる。セルロースエステル系樹脂は、通常、パルプ（セルロース）を活性化剤により活性化処理（活性化工程）した後、硫酸などの触媒を用いてアシル化剤によりエステル（トリエステルなど）を調製し（アシル化工程）、ケン化（加水分解）・熟成によりエステル化度を調整する（ケン化・熟成工程）ことにより製造できる。セルロースアセテートの場合は、例えば、硫酸触媒法、酢酸法、メチレンクロライド法等の慣用の方法で製造できる。
【００３３】
アシル化工程におけるアシル化剤の割合は、所望のアシル化度（酢化度など）となる範囲で選択でき、例えば、パルプ（セルロース）１００質量部に対して２３０〜３００質量部、好ましくは２４０〜２９０質量部、更に好ましくは２５０〜２８０質量部程度である。なお、セルロースアセテートの場合、アシル化剤としては、例えば、無水酢酸などが使用できる。
【００３４】
アシル化又は熟成触媒としては、通常、硫酸が使用される。硫酸の使用量は、通常、セルロース１００質量部に対して、０．５〜１５質量部、好ましくは５〜１５質量部、更に好ましくは５〜１０質量部程度である。また、ケン化・熟成の温度は、４０〜１６０℃の範囲から選択でき、例えば、５０〜７０℃程度である。
更に、残留した硫酸を中和するために、アルカリで処理してもよい。
【００３５】
セルロースエステル系樹脂としては、例えば、有機酸エステル［セルロースアセテート（酢酸セルロース）、セルロースプロピオネート、セルロースブチレート等のセルロースＣ２−６カルボン酸エステルなど］、混合エステル（セルロースアセテートプロピオネート、セルロースアセテートブチレート等のセルロースジＣ２−６カルボン酸エステルなど）、グラフト体（ポリカプロラクトングラフト化セルロースアセテートなど）、無機酸エステル（硝酸セルロース、硫酸セルロース、リン酸セルロース等）、有機酸・無機酸混合エステル（硝酸酢酸セルロースなど）等が例示される。
本発明においては、これらのセルロースエステルのうち、有機酸で修飾されたセルロース有機酸エステルが好ましく、炭素数２〜１２の有機酸で修飾されたセルロース有機酸エステルがより好ましい。具体的には、セルロースジアセテート、セルローストリアセテート、セルロースプロピオネート、セルロースアセテートプロピオネート、セルロースブチレート、セルロースアセテートブチレート、セルロースプロピオネートブチレートなどが好ましく、セルロースジアセテート、セルロースアセテートプロピオネート、セルロースアセテートブチレートがより好ましく、セルロースアセテートが更に好ましく、セルロースジアセテートが特に好ましい。
【００３６】
セルロースエステルのアシル置換度は耐衝撃性と成形性の観点から2.7以下であることが好ましく、２．６５以下であることがより好ましく、２．６以下であることが更に好ましい。アシル置換度は１〜2.7が好ましく、１．２〜２．６５がより好ましく、１．５〜２．６が更に好ましい。
セルロースアセテートの場合、平均酢化度３０〜６２．５％程度の範囲から選択でき、通常、平均酢化度４３．７〜６２．５％（アセチル基の平均置換度１．７〜３）、好ましくは４５〜６２．５％（平均置換度１．８〜３）、更に好ましくは４８〜６２．５％（平均置換度２〜３）程度である。
【００３７】
セルロースエステルの重合度は、特に制限されず、粘度平均重合度２００〜４００、好ましくは２５０〜４００、更に好ましくは２７０〜３５０程度である。
【００３８】
本発明の射出成形用樹脂組成物に含まれるセルロースエステル系樹脂の含有量は特に限定されない。好ましくはセルロースエステル系樹脂を射出成形用樹脂組成物の全固形分に対して、５０〜９５質量％、より好ましくは５５〜９０質量％、更に好ましくは６０〜８５質量％含有する。
【００３９】
本発明におけるセルロースエステル系樹脂は公知の方法で製造することができる。また、市販品を使用することもできる。例えば、セルロースアセテートプロピオネートとして、イーストマンケミカル社製、「４８２−２０（アセチル置換度：０．１、プロピオニル置換度：２．５、Ｍｎ：７３０００、Ｍｗ：２３４０００）」が、セルロースジアセテートとして、ダイセル化学製、「Ｌ−７０（アセチル置換度：２．４５、Ｍｎ：６５０００、Ｍｗ：２０００００）」、セルローストリアセテートとして、ダイセル化学製、「ＦＲＭ（アセチル置換度：２．７９、Ｍｎ：６６０００、Ｍｗ：１８６０００）」などがある。
【００４０】
３．難燃剤
本発明の射出成形用樹脂組成物は、難燃剤を含有する。難燃剤を含有することによって、燃焼速度の低下又は抑制といった難燃効果を向上させることができる。
難燃剤を添加することにより一般式（Ｉ）で表されるアミド系化合物のセルロースエステル系樹脂中での分散性が向上し、セルロースエステルとアミド系化合物が効率的に相互作用することができるようになり、その結果、本発明の射出成形用樹脂組成物の含水率、曲げ弾性率、シャルピー等の性能が向上すると考えられる。
【００４１】
難燃剤は、特に限定されず、常用のものを用いることができる。例えば、窒素化合物系難燃剤、無機系難燃剤、ハロゲン系難燃剤、リン系難燃剤、ケイ素系難燃剤などが挙げられる。本発明においては、吸水を抑制できるという理由から、ハロゲン、リン、及びケイ素からなる群から選ばれる少なくとも１種を含有する難燃剤が好ましい。
ハロゲンを含有する難燃剤としては、臭素系難燃剤、塩素系難燃剤が特に好ましい。
ハロゲン系難燃剤は、化合物中のハロゲン量が該化合物の分子量の２０％以上であることが好ましい。このような特定のハロゲン化合物により、難燃性を向上させることができる。更に、化合物中のハロゲン量が該化合物の分子量の２０％以上であるため、セルロースエステル系樹脂との混合や成形加工時に熱分解してハロゲン化水素が発生して加工機械や金型を腐食させたり、作業環境を悪化させたりすることがない。
ハロゲン系難燃剤中のハロゲン量は該化合物の分子量の２０％以上であることが好ましいが、更に９５％以下であると、揮散性の抑制に加えて、耐溶剤性の点で好ましい。更に好ましくは３０〜９０％であり、特に好ましくは４０〜８５％であり、最も好ましくは５０〜８５％である。
【００４２】
ハロゲン系難燃剤としては、含フッ素化合物、含塩素化合物、含臭素化合物などが挙げられるが、中でも難燃性の観点から、含塩素化合物及び含臭素化合物が好ましく、含臭素化合物が特に好ましい。
【００４３】
含フッ素化合物としては、ポリモノフルオロエチレン、ポリジフルオロエチレン、ポリトリフルオロエチレン、ポリテトラフルオロエチレン、テトラフルオロエチレン／フルオロプロピレン共重合体等が挙げられる。また、含フッ素単量体と、この単量体と共重合可能な種々の単量体との共重合体を用いることもできる。
含塩素化合物としては、塩素化パラフィン、塩素化ポリエチレン、パークロロシクロペンタデカン、テトラクロロ無水フタル酸、含塩素リン酸エステルなどが挙げられる。
【００４４】
含臭素化合物としては、デカブロモジフェニルオキサイド、オクタブロモジフェニルオキサイド、テトラブロモジフェニルオキサイド、テトラブロモ無水フタル酸、テトラブロモフタレートエステル、ヘキサブロモシクロドデカン、ビス（２，４，６−トリブロモフェノキシ）エタン、エチレンビステトラブロモフタルイミド、ヘキサブロモベンゼン、１，１−スルホニル［３，５−ジブロモ−４−（２，３−ジブロモプロポキシ）］ベンゼン、ポリジブロモフェニレンオキサイド、テトラブロムビスフェノール−Ｓ、トリス（２，３−ジブロモプロピル−１）イソシアヌレート、トリブロモフェノール、トリブロモフェニルアリルエーテル、トリブロモネオペンチルアルコール、臭素化ポリスチレン、臭素化ポリエチレン、テトラブロムビスフェノール−Ａ、テトラブロモビスフェノールＡ又はその誘導体、テトラブロモビスフェノールＡエポキシオリゴマー又はポリマー、臭素化フェノールノボラックエポキシなどの臭素化エポキシオリゴマー又はポリマー、テトラブロモビスフェノールＡカーボネートオリゴマー又はポリマー、テトラブロムビスフェノール−Ａ−ビス（２−ヒドロキシジエチルエーテル）、テトラブロムビスフェノール−Ａ−ビス（２，３−ジブロモプロピルエーテル）、テトラブロムビスフェノール−Ａ−ビス（アリルエーテル）、テトラブロモシクロオクタン、エチレンビスペンタブロモジフェニル、トリス（トリブロモネオペンチル）ホスフェート、ポリ（ペンタブロモベンジル）アクリレート、オクタブロモトリメチルフェニルインダン、ジブロモネオペンチルグリコール、ペンタブロモベンジルポリアクリレート及びその反応体、ジブロモクレジルグリシジルエーテル、Ｎ，Ｎ’−エチレン−ビス−テトラブロモテレフタルイミド、臭素化トリアジン、トリブロモスチレン及びその反応体、トリブロモフェニルマレイミド及びその反応体などが挙げられる。
【００４５】
上記ハロゲン系難燃剤のうち、好ましいものとしては、テトラブロモビスフェノールＡ、テトラブロモビスフェノールＡエポキシオリゴマー、テトラブロモビスフェノールＡカーボネートオリゴマー、トリブロモフェニルアリルエーテル、ヘキサブロモシクロドデカン、エチレンビステトラブロモフタルイミド、臭素化ポリスチレン、デカブロモジフェニルオキサイド、オクタブロモジフェニルオキサイド、臭素化トリアジン、エチレンビスペンタブロモジフェニル、テトラブロモフタレートエステル、ポリ（ペンタブロモベンジル）アクリレート、ポリジブロモフェニレンオキシド、臭素化エポキシオリゴマー、トリブロモスチレン及びその反応体、トリブロモフェニルマレイミド及びその反応体、ペンタブロモベンジルアクリレート及びその反応体、塩素化パラフィン、塩素化ポリエチレン、パークロロシクロペンタデカン、クロレンド酸及び含塩素リン酸エステルが挙げられる。より好ましくは、テトラブロモビスフェノールＡ、デカブロモジフェニルエーテル、テトラブロモビスフェノールＡオリゴマー、ヘキサブロモシクロドデカン、テトラブロモビスフェノールＡカーボネートオリゴマー、塩素化パラフィン、パークロロシクロペンタデカン、クロレンド酸などが挙げられる。
【００４６】
本発明においては、セルロースエステル系樹脂との複合時や成形加工時に熱分解してハロゲン化水素が発生して加工機械や金型を腐食させたり、作業環境を悪化させたりすることがなく、また、焼却廃棄時にハロゲンが気散したり、分解してダイオキシン類等の有害物質の発生等によって環境に悪影響を与える可能性が少ないことから、リン含有難燃剤及びケイ素含有難燃剤が好ましく、耐衝撃性の向上という理由から、リンを含有する難燃剤がより好ましい。
【００４７】
リン含有難燃剤としては、特に限定されることはなく、常用のものを用いることができる。例えば、リン酸エステル、リン酸縮合エステル、ポリリン酸塩などの有機リン系化合物が挙げられる。
【００４８】
リン酸エステルの具体例としては、トリメチルホスフェート、トリエチルホスフェート、トリブチルホスフェート、トリ（２−エチルヘキシル）ホスフェート、トリブトキシエチルホスフェート、トリフェニルホスフェート、トリクレジルホスフェート、トリキシレニルホスフェート、トリス（イソプロピルフェニル）ホスフェート、トリス（フェニルフェニル）ホスフェート、トリナフチルホスフェート、クレジルジフェニルホスフェート、キシレニルジフェニルホスフェート、ジフェニル（２−エチルヘキシル）ホスフェート、ジ（イソプロピルフェニル）フェニルホスフェート、モノイソデシルホスフェート、２−アクリロイルオキシエチルアシッドホスフェート、２−メタクリロイルオキシエチルアシッドホスフェート、ジフェニル−２−アクリロイルオキシエチルホスフェート、ジフェニル−２−メタクリロイルオキシエチルホスフェート、メラミンホスフェート、ジメラミンホスフェート、メラミンピロホスフェート、トリフェニルホスフィンオキサイド、トリクレジルホスフィンオキサイド、メタンホスホン酸ジフェニル、フェニルホスホン酸ジエチルなどを挙げることができる。
【００４９】
リン酸縮合エステルとしては、例えば、レゾルシノールポリフェニルホスフェート、レゾルシノールポリ（ジ−２，６−キシリル）ホスフェート、ビスフェノールＡポリクレジルホスフェート、ハイドロキノンポリ（２，６−キシリル）ホスフェート並びにこれらの縮合物などの芳香族リン酸縮合エステル等を挙げることができる。
【００５０】
また、リン酸、ポリリン酸と周期律表１族〜１４族の金属、アンモニア、脂肪族アミン、芳香族アミンとの塩からなるポリリン酸塩を挙げることもできる。ポリリン酸塩の代表的な塩として、金属塩としてリチウム塩、ナトリウム塩、カルシウム塩、バリウム塩、鉄（ＩＩ）塩、鉄（ＩＩＩ）塩、アルミニウム塩など、脂肪族アミン塩としてメチルアミン塩、エチルアミン塩、ジエチルアミン塩、トリエチルアミン塩、エチレンジアミン塩、ピペラジン塩などがあり、芳香族アミン塩としてはピリジン塩、トリアジン等が挙げられる。
【００５１】
また、前記以外にも、トリスクロロエチルホスフェート、トリスジクロロプロピルホスフェート、トリス（β−クロロプロピル）ホスフェート）などの含ハロゲンリン酸エステル、また、リン原子と窒素原子が二重結合で結ばれた構造を有するホスファゼン化合物、リン酸エステルアミドを挙げることができる。
これらのリン含有難燃剤は、１種単独でも２種以上を組み合わせて用いてもよい。
【００５２】
ケイ素含有難燃剤としては、二次元又は三次元構造の有機ケイ素化合物、ポリジメチルシロキサン、又はポリジメチルシロキサンの側鎖又は末端のメチル基が、水素原子、置換又は非置換の脂肪族炭化水素基、芳香族炭化水素基で置換又は修飾されたもの、いわゆるシリコーンオイル、又は変性シリコーンオイルが挙げられる。
【００５３】
置換又は非置換の脂肪族炭化水素基、芳香族炭化水素基としては、例えば、アルキル基、シクロアルキル基、フェニル基、ベンジル基、アミノ基、エポキシ基、ポリエーテル基、カルボキシル基、メルカプト基、クロロアルキル基、アルキル高級アルコールエステル基、アルコール基、アラルキル基、ビニル基、又はトリフロロメチル基等が挙げられる。
これらのケイ素含有難燃剤は１種単独でも２種以上を組み合わせて用いてもよい。
【００５４】
また、前記リン含有難燃剤又はケイ素含有難燃剤以外の難燃剤としては、例えば、水酸化マグネシウム、水酸化アルミニウム、三酸化アンチモン、五酸化アンチモン、アンチモン酸ソーダ、ヒドロキシスズ酸亜鉛、スズ酸亜鉛、メタスズ酸、酸化スズ、酸化スズ塩、硫酸亜鉛、酸化亜鉛、酸化第一鉄、酸化第二鉄、酸化第一スズ、酸化第二スズ、ホウ酸亜鉛、ホウ酸アンモニウム、オクタモリブデン酸アンモニウム、タングステン酸の金属塩、タングステンとメタロイドとの複合酸化物、スルファミン酸アンモニウム、臭化アンモニウム、ジルコニウム系化合物、グアニジン系化合物、フッ素系化合物、黒鉛、膨潤性黒鉛等の無機系難燃剤を用いることができる。これらの他の難燃剤は、１種単独で用いても、２種以上を併用して用いてもよい。
【００５５】
本発明における難燃剤は公知の方法で製造することができる。また、市販品を使用することもできる。例えば、ケイ素含有難燃剤として、「Ｘ−２２−３４３、反応性シリコーンオイル（信越化学社製）」、リン含有難燃剤として、「ＰＸ−２００、１，３−フェニレンビス（ジ−２，６−キシレニルホスフェート）（大八化学製）」などがある。
【００５６】
本発明の射出成形用樹脂組成物における難燃剤の含有量は限定的でないが、射出成形用樹脂組成物の全固形分に対して、３０質量％以下が好ましく、２〜２０質量％がより好ましい。この範囲とすることにより、耐衝撃性・脆性等を改良させたり、ペレットブロッキングの発生を抑制できる。
【００５７】
４．可塑剤
本発明の射出成形用樹脂組成物は、可塑剤を含有してもよい。これにより成形性をより一層向上させることができる。可塑剤としては、ポリマーの成形に常用されるものを用いることができる。例えば、トリフェニルホスフェート（ＴＰＰ）、トリクレジルホスフェート（ＴＣＰ）等のリン酸エステル、ジメチルフタレート（ＤＭＰ）、ジエチルフタレート（ＤＥＰ）、ジブチルフタレート（ＤＢＰ）、ジオクチルフタレート（ＤＯＰ）、ジ−２−エチルヘキシルフタレート（ＤＥＨＰ）等のフタル酸エステル、オレイン酸ブチル、リシノール酸メチルアセチル、セバシン酸ジブチル等の脂肪酸エステル、クエン酸アセチルトリブチル（ＯＡＣＴＢ）などのクエン酸エステル、トリメリット酸エステル、ポリエステル系可塑剤、グリセリン系可塑剤、多価カルボン酸エステル系可塑剤、ポリアルキレングリコール系可塑剤及びエポキシ系可塑剤等が挙げられる。
【００５８】
ポリエステル系可塑剤の具体例としては、アジピン酸、セバチン酸、テレフタル酸、イソフタル酸、ナフタレンジカルボン酸、ジフェニルジカルボン酸、ロジンなどの酸成分と、プロピレングリコール、１，３−ブタンジオール、１，４−ブタンジオール、１，６−ヘキサンジオール、エチレングリコール、ジエチレングリコールなどのジオール成分からなるポリエステルや、ポリカプロラクトンなどのヒドロキシカルボン酸からなるポリエステル等が挙げられる。これらのポリエステルは単官能カルボン酸若しくは単官能アルコールで末端封鎖されていてもよく、またエポキシ化合物などで末端封鎖されていてもよい。
【００５９】
グリセリン系可塑剤の具体例としては、グリセリンモノアセトモノラウレート、グリセリンジアセトモノラウレート、グリセリンモノアセトモノステアレート、グリセリンジアセトモノオレート及びグリセリンモノアセトモノモンタネート等が挙げられる。
【００６０】
多価カルボン酸系可塑剤の具体例としては、フタル酸ジメチル、フタル酸ジエチル、フタル酸ジブチル、フタル酸ジオクチル、フタル酸ジヘプチル、フタル酸ジベンジル、フタル酸ブチルベンジルなどのフタル酸エステル、トリメリット酸トリブチル、トリメリット酸トリオクチル、トリメリット酸トリヘキシルなどのトリメリット酸エステル、アジピン酸ジイソデシル、アジピン酸ｎ−オクチル−ｎ−デシル、アジピン酸メチルジグリコールブチルジグリコール、アジピン酸ベンジルメチルジグリコール、アジピン酸ベンジルブチルジグリコールなどのアジピン酸エステル、アセチルクエン酸トリエチル、アセチルクエン酸トリブチルなどのクエン酸エステル、アゼライン酸ジ−２−エチルヘキシルなどのアゼライン酸エステル、セバシン酸ジブチル、及びセバシン酸ジ−２−エチルヘキシル等が挙げられる。
【００６１】
ポリアルキレングリコール系可塑剤の具体例としては、ポリエチレングリコール、ポリプロピレングリコール、ポリ（エチレンオキサイド・プロピレンオキサイド）ブロック及び／又はランダム共重合体、ポリテトラメチレングリコール、ビスフェノール類のエチレンオキシド付加重合体、ビスフェノール類のプロピレンオキシド付加重合体、ビスフェノール類のテトラヒドロフラン付加重合体などのポリアルキレングリコールあるいはその末端エポキシ変性化合物、末端エステル変性化合物、及び末端エーテル変性化合物等が挙げられる。
【００６２】
エポキシ系可塑剤とは、一般にはエポキシステアリン酸アルキルと大豆油とからなるエポキシトリグリセリドなどを指すが、その他にも、主にビスフェノールＡとエピクロロヒドリンを原料とするような、いわゆるエポキシ樹脂も使用することができる。
【００６３】
その他の可塑剤の具体例としては、ネオペンチルグリコールジベンゾエート、ジエチレングリコールジベンゾエート、トリエチレングリコールジ−２−エチルブチレートなどの脂肪族ポリオールの安息香酸エステル、ステアリン酸アミドなどの脂肪酸アミド、オレイン酸ブチルなどの脂肪族カルボン酸エステル、アセチルリシノール酸メチル、アセチルリシノール酸ブチルなどのオキシ酸エステル、ペンタエリスリトール、各種ソルビトール等が挙げられる。
【００６４】
本発明の射出成形用樹脂組成物が可塑剤を含有する場合、１種でも２種以上でも良く、その含有量は、射出成形用樹脂組成物の全固形分に対して、３０質量％以下が好ましく、０．００５〜２０質量％がより好ましく、更に好ましくは０．０１〜１０質量％である。
【００６５】
５．相溶化剤
本発明の射出成形用樹脂組成物は、更に相溶化剤を含有することが好ましい。相溶化剤とは、本発明におけるセルロースエステル系樹脂と一般式（Ｉ）で表されるアミド系化合物とを相溶化させるものである。本発明の射出成形用樹脂組成物に相溶化剤を配合すると、セルロースエステル系樹脂に対する一般式（Ｉ）で表されるアミド系化合物の分散性が更に向上し、射出成形用樹脂組成物の流動性（成形加工性）、及び耐衝撃性などの性能がより向上する。
【００６６】
本発明において、相溶化剤としては、反応性基を有するものが好ましく、カルボン酸無水物、又は、エポキシ基、イソシアネート基、及びオキサゾリン基から選ばれる少なくとも１種を有する化合物がより好ましい。
好ましい相溶化剤としては、カルボン酸無水物、エポキシ基、イソシアネート基、及びオキサゾリン基で変性された重合体、ブロック共重合体、グラフト重合体、並びにランダム共重合体、更に種々のノニオン系界面活性剤、カップリング剤、架橋剤を挙げることができる。
相溶化剤は、上記の条件を満たす材料であれば特に限定されないが、具体的には、日本油脂（株）製モディパーシリーズ、住友化学（株）製、ボンドファースト、ボンダインシリーズ、日本石油（株）社製レクスパールシリーズ、東亞合成（株）社製レゼダシリーズ、アルフォンシリーズ、日本触媒（株）製エポクロスシリーズ、旭化成ケミカルズ（株）社製デュラネートシリーズ（いずれも商品名）などの市販品が好適に用いられる。また相溶化剤はこれらに限定されることはなく、「プラスチック相溶化剤  開発・評価・リサイクル」（シーエムシー出版）に記載の相溶化剤なども好適に用いることができる。
【００６７】
本発明の射出成形用樹脂組成物における相溶化剤の含有量は、射出成形用樹脂組成物の全固形分に対して、０．１〜３０質量％が好ましく、より好ましくは０．５〜２０質量％である。
【００６８】
６．酸化防止剤
本発明の射出成形用樹脂組成物は、更に酸化防止剤を含有することが好ましい。酸化防止剤としては、フェノール系酸化防止剤、アミン系酸化防止剤、イオウ系酸化防止剤、リン系酸化防止剤等が挙げられ、好ましくは、フェノール系酸化防止剤である。フェノール系酸化防止剤としては、チバ・スペシャルティ・ケミカルズ（株）製のイルガノックス１０１０、イルガノックス１０７６、イルガノックス３１１４等を好適に使用できる。
本発明の射出成形用樹脂組成物が酸化防止剤を含有する場合、その含有量は限定的でないが、射出成形用樹脂組成物の全固形分に対して、３０質量％以下が好ましく、より好ましくは０．０１〜１０質量％である。この範囲とすることにより、混練や成型プロセスでの加熱に対して樹脂が十分な安定性の向上効果を得ることができ好ましい。
【００６９】
７．射出成形用樹脂組成物、及び成形体
本発明の射出成形用樹脂組成物は、セルロースエステル系樹脂と一般式（Ｉ）で表されるアミド系化合物と難燃剤とを含有しており、必要に応じて、可塑剤、相溶化剤、酸化防止剤、及びその他の添加剤を含有することができる。
【００７０】
本発明の射出成形用樹脂組成物は、上記した成分のほか、必要に応じて、フィラー（強化材）等の種々の添加剤を含有していてもよい。
【００７１】
本発明の射出成形用樹脂組成物は、フィラー（強化材）を含有してもよい。フィラーを含有することにより、射出成形用樹脂組成物によって形成される成形体の機械的特性を強化することができる。
フィラーとしては、公知のものを使用できる。フィラーの形状は、繊維状、板状、粒状、粉末状等いずれでもよい。また、無機物でも有機物でもよい。
具体的には、無機フィラーとしては、ガラス繊維、炭素繊維、グラファイト繊維、金属繊維、チタン酸カリウムウイスカー、ホウ酸アルミニウムウイスカー、マグネシウム系ウイスカー、珪素系ウイスカー、ワラステナイト、セピオライト、スラグ繊維、ゾノライト、エレスタダイト、石膏繊維、シリカ繊維、シリカ・アルミナ繊維、ジルコニア繊維、窒化硼素繊維、窒化硅素繊維及び硼素繊維等の繊維状の無機フィラーや；ガラスフレーク、非膨潤性雲母、カーボンブラック、グラファイト、金属箔、セラミックビーズ、タルク、クレー、マイカ、セリサイト、ゼオライト、ベントナイト、ドロマイト、カオリン、微粉ケイ酸、長石粉、チタン酸カリウム、シラスバルーン、炭酸カルシウム、炭酸マグネシウム、硫酸バリウム、酸化カルシウム、酸化アルミニウム、酸化チタン、酸化マグネシウム、ケイ酸アルミニウム、酸化ケイ素、水酸化アルミニウム、水酸化マグネシウム、石膏、ノバキュライト、ドーソナイト、白土等の板状や粒状の無機フィラーが挙げられる。
【００７２】
有機フィラーとしては、ポリエステル繊維、ナイロン繊維、アクリル繊維、再生セルロース繊維、アセテート繊維等の合成繊維、ケナフ、ラミー、木綿、ジュート、麻、サイザル、マニラ麻、亜麻、リネン、絹、ウール等の天然繊維、微結晶セルロース、さとうきび、木材パルプ、紙屑、古紙等から得られる繊維状の有機フィラーや、有機顔料等の粒状の有機フィラーが挙げられる。
【００７３】
射出成形用樹脂組成物がフィラーを含有する場合、その含有量は限定的でないが、射出成形用樹脂組成物の全固形分に対して、３０質量％以下が好ましく、５〜１０質量％がより好ましい。
【００７４】
本発明の射出成形用樹脂組成物は、前記したもの以外にも、本発明の目的を阻害しない範囲で、成形性・難燃性等の各種特性をより一層改善する目的で他の成分を含んでいてもよい。
他の成分としては、例えば、前記セルロースエステル系樹脂以外のポリマー、安定剤（紫外線吸収剤など）、離型剤（脂肪酸、脂肪酸金属塩、オキシ脂肪酸、脂肪酸エステル、脂肪族部分鹸化エステル、パラフィン、低分子量ポリオレフィン、脂肪酸アミド、アルキレンビス脂肪酸アミド、脂肪族ケトン、脂肪酸低級アルコールエステル、脂肪酸多価アルコールエステル、脂肪酸ポリグリコールエステル、変成シリコーン）、帯電防止剤、難燃助剤、加工助剤、ドリップ防止剤、抗菌剤、防カビ剤等が挙げられる。更に、染料や顔料を含む着色剤などを添加することもできる。
【００７５】
前記セルロースエステル系樹脂以外のポリマーとしては、熱可塑性ポリマー、熱硬化性ポリマーのいずれも用い得るが、成形性の点から熱可塑性ポリマーが好ましい。セルロースエステル系樹脂以外のポリマーの具体例としては、低密度ポリエチレン、直鎖状低密度ポリエチレン、高密度ポリエチレン、ポリプロピレン、エチレン−プロピレン共重合体、エチレン−プロピレン−非共役ジエン共重合体、エチレン−ブテン−１共重合体、ポリプロピレンホモポリマー、ポリプロピレンコポリマー（エチレン−プロピレンブロックコポリマーなど）、ポリブテン−１及びポリ−４−メチルペンテン−１等のポリオレフィン、ポリブチレンテレフタレート、ポリエチレンテレフタレート及びその他の芳香族ポリエステル等のポリエステル、ナイロン６、ナイロン４６、ナイロン６６、ナイロン６１０、ナイロン６１２、ナイロン６Ｔ、ナイロン１２等のポリアミド、ポリスチレン、ハイインパクトポリスチレン、ポリアセタール（ホモポリマー及び共重合体を含む）、ポリウレタン、芳香族及び脂肪族ポリケトン、ポリフェニレンサルファイド、ポリエーテルエーテルケトン、熱可塑性澱粉樹脂、ポリメタクリル酸メチルやメタクリル酸エステル−アクリル酸エステル共重合体などのアクリル樹脂、ＡＳ樹脂（アクリロニトリル−スチレン共重合体）、ＡＢＳ樹脂、ＡＥＳ樹脂（エチレン系ゴム強化ＡＳ樹脂）、ＡＣＳ樹脂（塩素化ポリエチレン強化ＡＳ樹脂）、ＡＳＡ樹脂（アクリル系ゴム強化ＡＳ樹脂）、ポリ塩化ビニル、ポリ塩化ビニリデン、ビニルエステル系樹脂、無水マレイン酸−スチレン共重合体、ＭＳ樹脂（メタクリル酸メチル−スチレン共重合体）、ポリカーボネート、ポリアリレート、ポリスルホン、ポリエーテルスルホン、フェノキシ樹脂、ポリフェニレンエーテル、変性ポリフェニレンエーテル、ポリエーテルイミド等の熱可塑性ポリイミド、ポリテトラフルオロエチレン、テトラフルオロエチレン−ヘキサフルオロプロピレン共重合体、テトラフルオロエチレン−エチレン共重合体、テトラフルオロエチレン−パーフルオロアルキルビニルエーテル共重合体、ポリクロロトリフルオロエチレン、ポリフッ化ビニリデン、テトラフルオロエチレン−ヘキサフルオロプロピレン−パーフルオロアルキルビニルエーテル共重合体などのフッ素系ポリマー、ポリビニルアルコール、不飽和ポリエステル、メラミン樹脂、フェノール樹脂、尿素樹脂、ポリイミドなどを挙げることができる。
また、各種アクリルゴム、エチレン−酢酸ビニル共重合体、エチレン−アクリル酸共重合体及びそのアルカリ金属塩（いわゆるアイオノマー）、エチレン−アクリル酸アルキルエステル共重合体（例えば、エチレン−アクリル酸エチル共重合体、エチレン−アクリル酸ブチル共重合体）、ジエン系ゴム（例えば、１，４−ポリブタジエン、１，２−ポリブタジエン、ポリイソプレン、ポリクロロプレン）、ジエンとビニル単量体との共重合体（例えば、スチレン−ブタジエンランダム共重合体、スチレン−ブタジエンブロック共重合体、スチレン−ブタジエン−スチレンブロック共重合体、スチレン−イソプレンランダム共重合体、スチレン−イソプレンブロック共重合体、スチレン−イソプレン−スチレンブロック共重合体、ポリブタジエンにスチレンをグラフト共重合させたもの、ブタジエン−アクリロニトリル共重合体）、ポリイソブチレン、イソブチレンとブタジエン又はイソプレンとの共重合体、ブチルゴム、天然ゴム、チオコールゴム、多硫化ゴム、アクリルゴム、ニトリルゴム、ポリエーテルゴム、エピクロロヒドリンゴム、フッ素ゴム、シリコーンゴム、その他ポリウレタン系やポリエステル系、ポリアミド系などの熱可塑性エラストマー等が挙げられる。
【００７６】
更に、各種の架橋度を有するものや、各種のミクロ構造、例えばシス構造、トランス構造等を有するもの、ビニル基などを有するもの、あるいは各種の平均粒径を有するものや、コア層とそれを覆う１以上のシェル層から構成され、また隣接し合った層が異種の重合体から構成されるいわゆるコアシェルゴムと呼ばれる多層構造重合体なども使用することができ、更にシリコーン化合物を含有したコアシェルゴムも使用することができる。
これらのポリマーは、１種単独で用いても、２種以上を併用してもよい。
【００７７】
本発明の射出成形用樹脂組成物がセルロースエステル系樹脂以外のポリマーを含有する場合、その含有量は、射出成形用樹脂組成物の全固形分に対して３０質量％以下が好ましく、２〜１０質量％がより好ましい。
【００７８】
本発明の成形体は、前記セルロースエステル系樹脂と前記一般式（Ｉ）で表されるアミド系化合物と難燃剤とを含む射出成形用樹脂組成物を成形することにより得られる。より詳細には、セルロースエステル系樹脂と前記一般式（Ｉ）で表されるアミド系化合物と難燃剤と、必要に応じて各種添加剤等を含む射出成形用樹脂組成物を加熱し、各種の成形方法により成形する工程を含む製造方法によって得られる。
本発明の成形体の製造方法は、前記射出成形用樹脂組成物を加熱し、成形する工程を含む。
成形方法としては、例えば、射出成形、押し出し成形、ブロー成形等が挙げられる。
加熱温度は、通常１６０〜３００℃であり、好ましくは１８０〜２６０℃である。
【００７９】
本発明の成形体の用途は、とくに限定されるものではないが、例えば、電気電子機器（家電、ＯＡ・メディア関連機器、光学用機器及び通信機器等）の内装又は外装部品、自動車、機械部品、住宅・建築用材料等が挙げられる。これらの中でも、優れた耐熱性及び耐衝撃性を有しており、環境への負荷が小さい観点から、例えば、コピー機、プリンター、パソコン、テレビ等といった電気電子機器用の外装部品（特に筐体）として好適に使用することができる。
【実施例】
【００８０】
以下に実施例及び比較例を挙げて本発明を具体的に説明するが、本発明の範囲は以下に示す実施例に限定されるものではない。
【００８１】
以下のようにして一般式（Ｉ）で表されるアミド系化合物である例示化合物１を合成した。
【００８２】
＜合成例１（例示化合物１の合成）＞
【００８３】
【化６】
2011162696.tif 000007
【００８４】
２−エチルヘキシルアミン（４０ｇ、東京化成工業製）、トリエチルアミン（３１．３ｇ、東京化成工業製）をテトラヒドロフラン（２００ｇ、和光純薬製）に添加した。系を０℃に冷やし、イソフタロイルクロリド（３０ｇ、東京化成工業製）をゆっくりと添加し、室温で５時間攪拌した。その後、反応溶液を酢酸エチル５００ｍＬ、水７００ｍＬで分液操作し、硫酸マグネシウムで乾燥後、有機層を濃縮し、無色液体を得た。これをシリカゲルカラムクロマトグラフィーで単離精製し、無色固体４５ｇを得た。このようにして例示化合物１のアミド系化合物を合成した。
【００８５】
＜合成例２（例示化合物２の合成）＞
【００８６】
【化７】
2011162696.tif 000008
【００８７】
２−エチルヘキシルアミン（４０ｇ、東京化成工業製）、トリエチルアミン（３１．３ｇ、東京化成工業製）をテトラヒドロフラン（２００ｇ、和光純薬製）に添加した。系を０℃に冷やし、テレフタロイルクロリド（３０ｇ、東京化成工業製）をゆっくりと添加し、室温で５時間攪拌した。その後、反応溶液を酢酸エチル５００ｍＬ、水７００ｍＬで分液操作し、硫酸マグネシウムで乾燥後、有機層を濃縮し、無色液体を得た。これをシリカゲルカラムクロマトグラフィーで単離精製し、無色固体４０ｇを得た。このようにして例示化合物２のアミド系化合物を合成した。
【００８８】
＜合成例３（例示化合物３の合成）＞
【００８９】
【化８】
2011162696.tif 000009
【００９０】
ｍ−トルイジン（７７ｇ、東京化成工業製）、トリエチルアミン（７３ｇ、東京化成工業製）を１−メチル−２−ピロリドン（３００ｇ、和光純薬製）に添加した。系を０℃に冷やし、イソフタロイルクロリド（７０ｇ、東京化成工業製）をゆっくりと添加し、室温で５時間攪拌した。その後、反応溶液を水７００ｍＬに加えて吸引ろ過し、無色固体７２ｇを得た。このようにして例示化合物３のアミド系化合物を合成した。
【００９１】
＜合成例４（例示化合物９の合成）＞
【００９２】
【化９】
2011162696.tif 000010
【００９３】
ジエチルアミン（５２．６ｇ、東京化成工業製）、トリエチルアミン（７３ｇ、東京化成工業製）を１−メチル−２−ピロリドン（３００ｇ、和光純薬製）に添加した。系を０℃に冷やし、イソフタロイルクロリド（７０ｇ、東京化成工業製）をゆっくりと添加し、室温で５時間攪拌した。その後、反応溶液を酢酸エチル５００ｍＬ、水７００ｍＬで分液操作し、硫酸マグネシウムで乾燥後、有機層を濃縮し、無色液体を得た。これをシリカゲルカラムクロマトグラフィーで単離精製し、粘性固体５７ｇを得た。このようにして例示化合物９のアミド系化合物を合成した。
【００９４】
＜合成例５（例示化合物１０の合成）＞
【００９５】
【化１０】
2011162696.tif 000011
【００９６】
イソフタロイルクロリド（７０ｇ、東京化成工業製）を１−メチル−２−ピロリドン（３００ｇ、和光純薬製）に溶解して、系を０℃に冷やしながら、ｎ−ブチルアミン（２５．１６ｇ、東京化成工業製）、トリエチルアミン（７３ｇ、東京化成工業製）、１−メチル−２−ピロリドン（５０ｇ、和光純薬製）をゆっくりと添加した。室温で２時間攪拌後、系を０℃に冷やした。次に、アニリン（３２ｇ、東京化成工業製）をゆっくりと滴下し、室温で５時間攪拌した。酢酸エチル５００ｍＬ、水７００ｍＬで分液操作し、硫酸マグネシウムで乾燥後、有機層を濃縮し、無色液体を得た。これをシリカゲルカラムクロマトグラフィーで単離精製し、目的物４１ｇを得た。このようにして例示化合物１０のアミド系化合物を合成した。
【００９７】
＜合成例５（例示化合物１２の合成）＞
【００９８】
【化１１】
2011162696.tif 000012
【００９９】
アミノアセタール（９５．９ｇ、東京化成工業製）、トリエチルアミン（７３ｇ、東京化成工業製）を１−メチル−２−ピロリドン（３００ｇ、和光純薬製）に添加した。系を０℃に冷やし、イソフタロイルクロリド（７０ｇ、東京化成工業製）をゆっくりと添加し、室温で５時間攪拌した。その後、反応溶液を酢酸エチル５００ｍＬ、水７００ｍＬで分液操作し、硫酸マグネシウムで乾燥後、有機層を濃縮し、無色液体を得た。これをシリカゲルカラムクロマトグラフィーで単離精製し、粘性固体９５ｇを得た。このようにして例示化合物１２のアミド系化合物を合成した。
【０１００】
実施例で使用した他のアミド系化合物に関しても同様の方法若しくはＪｏｕｒｎａｌ  ｏｆ  Ｏｒｇａｎｉｃ  Ｃｈｅｍｉｓｔｒｙ，１９９７，ｖｏｌ．６２，ｐ．４４９２−４４９９などに記載の方法により、合成を行った。
【０１０１】
＜実施例１〜１８、比較例１〜４＞
［成形体の作製］
セルロースエステル系樹脂、アミド系化合物、及びその他の成分を表１に示す配合割合（質量％）で混合し、射出成形用樹脂組成物を調製した。この射出成形用樹脂組成物を二軸混練押出機（テクノベル（株）製、Ｕｌｔｒａｎａｎｏ）に供給しペレットを作製し、ついで得られたペレットを、射出成形機（ファナック（株）Ｒｏｂｏｓｈｏｔ  Ｓ−２０００ｉ、自動射出成形機）に供給して、４×１０×８０ｍｍの多目的試験片を成形した。
【０１０２】
なお、表１において、各成分は以下のものを示す。
エチルセルロース：ダウケミカル日本（株）  製、商品名：エトセル１００ｃｐ（エチル置換度：２．５５、Ｍｗ：１８５０００、Ｍｎ：７６０００）
セルロースアセテートプロピオネート：イーストマンケミカル社製、４８２−２０（アセチル置換度：０．１、プロピオニル置換度：２．５、Ｍｎ：７３０００、Ｍｗ：２３４０００）
セルロースジアセテート：ダイセル化学製、Ｌ−７０（アセチル置換度：２．４５、Ｍｎ：６５０００、Ｍｗ：２０００００）
セルローストリアセテート：ダイセル化学製、ＦＲＭ（アセチル置換度：２．７９、Ｍｎ：６６０００、Ｍｗ：１８６０００）
フタル酸ジ（２−エチルヘキシル）：東京化成工業製
Ｘ−２２−３４３：ケイ素含有難燃剤、反応性シリコーンオイル（信越化学社製）
ＰＸ−２００：リン含有難燃剤、１，３−フェニレンビス（ジ−２，６−キシレニルホスフェート）（大八化学製）
プラセフティ（Ｒ）ＥＢ−８：ハロゲン含有難燃剤、オクタブロモジフェニルエーテル（マナック製）
Ｉｒｇａｎｏｘ１０１０：フェノール系酸化防止剤「イルガノックス１０１０」、チバ・スペシャルティ・ケミカルズ（株）
アミド系化合物は下記構造のものである。
【０１０３】
【化１２】
2011162696.tif 000013
【０１０４】
［評価］
得られた射出成形用樹脂組成物、及び多目的試験片を用いて、以下の項目について評価した。評価結果は表１に示した。
【０１０５】
（流動特性）
フローテスタ（（株）島津製作所製ＣＦＴ−１００Ｄ、Ｌ＝１０ｍｍ、Ｄ＝１．０ｍｍのダイを使用）を用い、上記の射出成形用樹脂組成物をガラス転移温度以下の温度で装置に投入し、剪断速度１００Ｓ−１、昇温速度２℃／ｍｉｎで昇温測定を行った。一般的に射出成形が容易に可能である、この測定での見かけの粘度が１００Ｐａ・Ｓとなる温度を流動特性温度とした。流動特性温度は、より低温である方が、成形しやすくなるため好ましい。
【０１０６】
（含水率）
ＪＩＳ  Ｋ  ７２０９に準拠して、成形試験片を５０℃で２４時間乾燥させた後、質量測定を行い、２３℃の恒温水槽に試料を２４時間浸漬し、試験片を取り出した後、表面に付着した水分を取り除き、ただちに質量を測定した。含水率（％）は｛（浸漬後の質量/浸漬前の質量−１）×１００｝で求めた。測定は３回測定の平均値である。なお、含水率が多いと成形しにくいため、含水率は成形性の指標の一つとなる。
【０１０７】
（曲げ弾性率）
ＩＳＯ１７８に準拠して、射出成形にて成形した試験片を２３℃±２℃、５０％±５％ＲＨで４８時間以上調整した後、インストロン（東洋精機製、ストログラフＶ５０）によって支点間距離６４ｍｍ、試験速度２ｍｍ／ｍｉｎで曲げ弾性率を測定した。測定は３回測定の平均値である。
【０１０８】
（熱変形温度（ＨＤＴ））
ＩＳＯ７５に準拠して、試験片の中央に一定の曲げ荷重（１．８ＭＰａ）を加え（フラットワイズ方向）、等速度で昇温させ、中央部のひずみが０．３４ｍｍに達したときの温度（℃）を測定した。熱変形温度測定装置は、（株）東洋精機製作所製  ＨＤＴテスタ６Ｍ−２を用いた。測定は３回測定の平均値である。ＨＤＴは高いほど、熱変形しにくくなるため好ましい。
【０１０９】
（シャルピー衝撃強度）
ＩＳＯ１７９に準拠して、射出成形にて成形した試験片に入射角４５±０．５°、先端０．２５±０．０５ｍｍのノッチを形成し、２３℃±２℃、５０％±５％ＲＨで４８時間以上静置した後、シャルピー衝撃試験機（（株）東洋精機製作所製）によってエッジワイズにて衝撃強度を測定した。測定は３回測定の平均値である。
【０１１０】
【表１】
2011162696.tif 000014
【０１１１】
【表２】
2011162696.tif 000015
【０１１２】
実施例１〜１８は曲げ弾性率、流動特性、シャルピー衝撃強度、荷重たわみ温度、及び含水率の観点で優れていた。セルロースエステル系樹脂を含まない比較例１、一般式（Ｉ）で表されるアミド系化合物を含まない比較例２、３、難燃剤を含まない比較例４は、曲げ弾性率、シャルピー衝撃強度、荷重たわみ温度、及び含水率の観点で実施例よりも劣っていた。